(57)【要約】【課題】本発明は、設置後にも容易に通常の仕様から気密仕様へ切替可能な分電盤１の気密構造を提供することを目的としている。【解決手段】本発明に係る分電盤の気密構造は、基台２に通気孔３を設けると共に、通気孔３を施蓋するカバーを取り付け、分電盤１を設置した後でも、カバーの開閉によって分電盤１を特別に部品を交換するなどの手間を掛けずに通常の仕様から気密仕様に容易に変更でき、通常の仕様のものと気密仕様のものとの在庫管理の手間も省くこととができることを特徴とする。【選択図】        図１
2004153888.tif 000002
【特許請求の範囲】
【請求項１】
主幹ブレーカや分岐ブレーカ等の電気機器を基台に載置して成る分電盤の気密構造であって、前記基台に通気孔を設けると共に、該通気孔を施蓋するカバーを取り付け、分電盤設置後でもカバーの開閉によって前記分電盤を気密仕様に変更できることを特徴とする分電盤の気密構造。
【請求項２】
前記分電盤の気密構造であって、前記基台に通気孔を設けると共に、該通気孔に通気穴を設けたスライドカバーを取り付け、前記通気孔と通気穴を対向させて分電盤内部に通気可能に設置した後でも、前記スライドカバーをスライドさせて、前記通気孔と通気穴を対向させないようにし通気孔をスライドカバーで被覆することを特徴とする請求項１に記載の分電盤の気密構造。
【請求項３】
前記分電盤の気密構造であって、前記基台に通気孔を設けると共に、該通気孔近傍に扉支持体を設け、該扉支持体に回動動作により開閉する扉を取り付けることを特徴とする請求項１に記載の分電盤の気密構造。
【発明の詳細な説明】
【０００１】
【発明の属する技術分野】
本発明は、主幹ブレーカや分岐ブレーカ等の電気機器を基台に載置して成る分電盤の気密構造に関する。
【０００２】
【従来の技術】
従来技術における分電盤としては、特開２００２−２０１８７２号に示されるように、分電盤の本体や開閉蓋に気密材を取り付けたものがあった。
【０００３】
【発明が解決しようとする課題】
しかし従来技術によれば、購入者は、商品購入時に通常のものにするか気密用のものにするか選択しなくてはならなかった。また、製造者はどちらにも対応できるように、気密材を常に在庫する必要があった。また、受注してから製造する場合、数量が多いと製造に時間がかかってしまうという欠点があった。
【０００４】
【課題を解決するための手段】
そこで本発明は、設置後にも容易に気密仕様へ切替可能な分電盤の気密構造を提供することを目的とし、その構造は、基台に通気孔を設けると共に、通気孔を施蓋するカバーを取り付け、分電盤設置後でもカバーの開閉によって分電盤を気密仕様に変更できることを特徴とする。
【０００５】
また、基台に通気孔を設けると共に、通気孔に通気穴を設けたスライドカバーを取り付け、通気孔と通気穴を対向させて分電盤内部に通気可能に設置した後でも、スライドカバーをスライドさせて、通気孔と通気穴を対向させないようにし通気孔をスライドカバーで被覆することを特徴とする。
【０００６】
また、基台に通気孔を設けると共に、通気孔近傍に扉支持体を設け、扉支持体に回動動作により開閉する扉を取り付けることを特徴とする。
【０００７】
【発明の実施の形態】
本発明に係る分電盤の気密構造は、基台に通気孔を設け、通気孔を施蓋するカバーを取り付ける。通常仕様の場合は、カバーを開放して分電盤に通気させて用いる。分電盤を気密にして用いる場合には、通気孔を閉塞する。ひとつの部品で通常の仕様でも気密の仕様でも対応でき、一旦、どちらかの仕様で分電盤を設置しても、現場で容易に変更することができる。
【０００８】
また、本発明の請求項２に係る分電盤の気密構造は、基台に通気孔を設け、通気孔には通気穴を設けたスライドカバーを取り付ける。通常仕様の場合は、基台に設けた通気孔とスライドカバーに設けた通気穴とを対向させ開放して用い、一方気密にして用いる場合は、基台に設けた通気孔にスライドカバーに設けた通気穴を対向させず、基台の通気孔をスライドカバーで被覆する。ひとつの部品で通常の仕様でも気密の仕様でも対応でき、一旦、どちらかの仕様で分電盤を設置しても、現場で容易に変更することができる。
【０００９】
また、本発明の請求項３に係る分電盤の気密構造は、基台に通気孔を設け、通気孔にはそれぞれを回動動作により開閉する扉を設ける。通常仕様の場合には、扉を開放して用い、一方気密にして用いる場合は、扉で通気孔を施蓋する。ひとつの部品で常の仕様でも気密の仕様でも対応でき、一旦、どちらかの仕様で分電盤を設置しても、現場で容易に変更することができる。
【００１０】
【実施例】
図１に本発明に係る分電盤の気密構造を示す側面図を示す。分電盤１は基台２に主幹ブレーカや分岐ブレーカ等の電気機器を配置して構成される。基台２には通気孔３を設け、その通気孔３の部分を施蓋するカバーを取り付ける。カバーの開閉によって、通常に使用している分電盤１を設置してあるその場で気密仕様に変更する。
【００１１】
図２に本発明の請求項２に係る分電盤の気密構造を示す。分電盤１は基台２に主幹ブレーカや分岐ブレーカ等の電気機器を配置して構成される。基台２には通気孔３を設け、その通気孔３の部分にはスライドカバー４を取り付ける。スライドカバー４にも通気穴５を設け、通常の仕様では、基台２の通気孔３とスライドカバー４の通気穴５とを対向させるようにスライドカバー４を取り付ける。一方、気密仕様では、基台２の通気孔３とスライドカバー４の通気穴５とを対向させず、通気孔３をスライドカバー４で被覆するように取り付ける。
【００１２】
スライドカバー４を移動させることで通気孔３を開放したり閉塞したりするもので、簡単な作業で分電盤１を気密仕様へ変更できる。通常に使用する分電盤１を特別な部品を加えることなく、設置されているその場で容易に気密仕様にすることができる。
【００１３】
また、図３に本発明の請求項３に係る分電盤の気密構造を示すが、基台２には通気孔３を複数設け、この通気孔３には、それぞれに回動動作により開閉する扉６を取り付ける。通常、扉６を開放して用い、気密仕様にするには、扉６を閉じて使用する。このように、本発明に係る分電盤１の気密構造は上記構造に限定されるものではなく、本発明の趣旨を逸脱しない範囲において、通気孔３の開閉が可能であるように、適宜変更可能である。
【００１４】
【発明の効果】
以上述べたように、本発明に係る分電盤の気密構造は、基台に通気孔を設けると共に、通気孔を施蓋するカバーを取り付け、分電盤設置後でもカバーの開閉によって分電盤を気密仕様に変更できるため、分電盤が設置されているその場で容易に作業が行える。また、仕様変更に際し、別の部品も必要ないので、部品管理の手間と製造コストが抑制できる。
【００１５】
また、本発明の請求項２に係る分電盤の気密構造は、基台に通気孔を設けると共に、通気孔に通気穴を設けたスライドカバーを取り付け、通気孔と通気穴を対向させて分電盤内部に通気可能に設置した後でも、スライドカバーをスライドさせて、通気孔と通気穴を対向させないようにし通気孔をスライドカバーで被覆することにより、分電盤を気密仕様に変更できるため、分電盤が設置されているその場で容易に作業が行える。また、仕様変更に際し、別の部品も必要ないので、部品管理の手間と製造コストが抑制できる。
【００１６】
また、本発明の請求項３に係る分電盤の気密構造は、基台に通気孔を設けると共に、通気孔近傍に扉支持体を設け、扉支持体に回動動作により開閉する扉を取り付けるため、分電盤が設置されているその場で容易に作業が行える。また、仕様変更に際し、別の部品も必要ないので、部品管理の手間と製造コストが抑制できる。
【図面の簡単な説明】
【図１】本発明に係る分電盤の気密構造を示す側面図である。
【図２】本発明の請求項２に係る分電盤の気密構造を示す分解斜視図である。
【図３】本発明の請求項３に係る分電盤の気密構造を示す分解斜視図である。
【符号の説明】
１      分電盤
２      基台
３      通気孔
４      スライドカバー
５      通気穴
６      扉
【図１】
2004153888.tif 000003
【図２】
2004153888.tif 000004
【図３】
2004153888.tif 000005